(57)【要約】      （修正有）【課題】製造コストを抑えつつ、取り付け及び取り外しが容易な起立式展示ボードを提供する。【解決手段】上端で互いに回動自在に軸支された２本の支柱で構成された枠部材を間隔を置いて一対備えることにより構成された支持枠２と、支持枠２の表面及び裏面に取り付けたパネル６とを具備した起立式展示ボードであって、前記パネル６は、四角形状に枠組みされた固定フレーム７と、固定フレーム７の内周側に係止された裏板１２と、固定フレーム７の内周側における裏板１２の正面側に係止された、裏板１２とともに写真、絵画、カタログ等を挟み込むための透明体１３と、固定フレーム７の各辺に開閉自在に軸支され、閉じることによって、透明体１３を裏板１２側へ押圧可能とした可動フレーム１４と、を備えたことを特徴とする。【選択図】図４
0003155563.tif 000002
【実用新案登録請求の範囲】
【請求項１】
上端で互いに回動自在に軸支された２本の支柱（４）で構成された枠部材（３）を間隔を置いて一対個備えることにより構成された支持枠（２）と、
該支持枠（２）の表面及び裏面に取り付けたパネル（６）と、を具備した起立式展示ボードであって、
前記パネル（６）は、
四角形状に枠組みされた固定フレーム（７）と、
該固定フレーム（７）の内周側に係止された裏板（１２）と、
前記固定フレーム（７）の内周側における前記裏板（１２）の正面側に係止された、前記裏板（１２）とともに写真、絵画、カタログ等を挟み込むための透明体（１３）と、
前記固定フレーム（７）の各辺に開閉自在に軸支され、閉じることによって、前記透明体（１３）を前記裏板（１２）側へ押圧可能とした可動フレーム（１４）と、を備えたことを特徴とする起立式展示ボード。
【請求項２】
前記固定フレーム（７）は、前記裏板（１２）の周縁部が挿入係止される挿入溝（１０）と、前記透明体（１３）の周縁部が載置される段差部（１１）を有して、前記挿入溝（１０）に裏板（１２）の周縁部を挿入するとともに、前記段差部（１１）上に透明体（１３）の周縁部を載置した状態で前記可動フレーム（１４）を閉じて可動フレーム（１４）によって前記透明体（１３）を前記裏板（１２）へ押圧することによって、前記固定フレーム（７）の内周側に裏板（１２）及び透明体（１３）を係止することとしたことを特徴とする請求項１に記載の起立式展示ボード。
【請求項３】
前記固定フレーム（７）は、ガイドレール（９）と、固定側バネ受け部（１７）を有し、前記可動フレーム（１４）は、前記ガイドレール（９）に摺動可能なカップ部（１５）と、可動側バネ受け部（１６）とを有して、前記ガイドレール（９）に前記カップ部（１５）を被装するとともに、前記固定側バネ受け部（１７）と可動側バネ受け部（１６）間にバネ部材（１８）を介在することで、前記可動フレーム（１４）を前記固定フレーム（７）の各辺に開閉自在に軸支した、ことを特徴とする請求項１又は請求項２に記載の起立式展示ボード。
【考案の詳細な説明】
【技術分野】
【０００１】
本考案は、各種の写真、カタログ等を展示するために用いられる起立式展示ボードに係り、より詳しくは、面倒な作業を行うことなく、各種の写真、カタログ等を、容易に、かつ繰り返し、着脱自在とした起立式展示ボードに関する。
【背景技術】
【０００２】
従来から、各種の写真、カタログ等を係止するものとして展示ボードが提案されており、この展示ボードの中には、道路、地下道、集会場や店舗の入り口等に起立させることを可能とした、起立式のものがある。
【０００３】
ここで、図６は従来の起立式展示ボード３１を説明するための図であり、図において、従来の起立式展示ボード３１は、上端部で互いに連結された枠部材３２ａ、３２ｂを有しており、この枠部材３２ａ、３２ｂを、側面視野で三角形状になるように連結した枠体３２を有している。
【０００４】
そして、この枠体３２の表面側及び裏面側にはそれぞれ、板状の表示板３３が固定されており、この表示板３３に、接着剤、ビス、画鋲等を用いて写真、カタログ、メッセージ等を貼り付けることとしている。
【０００５】
しかしながら、このような従来の起立式展示ボード３１では、接着剤、ビス、画鋲等を用いて写真、カタログ、メッセージ等を貼り付けることとしているために、作業が面倒になってしまうとともに、例えば接着剤を用いて貼り付けた場合には取り外すのが困難であるという問題点がある。
【０００６】
そのために、近年になり、このような従来の起立式展示ボードの問題点を解決するために、表示板に更に、フロントオープン式の表示パネルを取り付けた、改良型の起立式展示ボードが提案されている。
【０００７】
そして、この改良型の起立式展示ボードによれば、接着剤、ビス、画鋲等を用いることなく、表示板に写真、カタログ、メッセージ等を貼り付けることができるために、貼り付ける作業が容易であるとともに、取り外しも容易であるという利点がある。
【先行技術文献】
【特許文献】
【０００８】
【特許文献１】特開２００４−２０９０３号公報
【考案の概要】
【考案が解決しようとする課題】
【０００９】
しかしながら、前述した改良型の起立式展示ボードでは、展示ボードを構成する表示板に更に、パネルを取り付けることとしているために、製造が面倒であるとともに製造コストも上がってしまうという問題点が指摘できる。
【００１０】
そこで、本考案は、製造コストを抑えつつ、写真、絵画等の取り付け及び取り外しが容易な起立式展示ボードを提供することを課題としている。
【課題を解決するための手段】
【００１１】
本考案の起立式展示ボードは、
上端で互いに回動自在に軸支された２本の支柱で構成された枠部材を間隔を置いて一対個備えることにより構成された支持枠と、
該支持枠の表面及び裏面に取り付けたパネルと、で構成されており、
前記パネルは、
四角形状に枠組みされた固定フレームと、
該固定フレームの内周側に係止された裏板と、
前記固定フレームの内周側における前記裏板の正面側に係止された、前記裏板とともに写真、カタログ等を挟み込むための透明体と、
前記固定フレームの各辺に開閉自在に軸支され、閉じることによって、前記透明体を前記裏板へ押圧可能とした可動フレームと、を備えたことを特徴としている。
【考案の効果】
【００１２】
本考案の起立式展示ボードでは、上端で互いに回動自在に軸支された２本の支柱で構成された枠部材を間隔を置いて一対個備えることにより支持枠を構成し、この支持枠の表面及び裏面に、フロントオープン式のパネルを取り付けて構成されており、パネルを構成する可動フレームを開いて、透明体と裏板間に写真、カタログ等を挟み込んだ後に可動フレームを閉じることで、起立式展示ボードに、写真、カタログ等を貼り付けることを可能としている。
【００１３】
そのために、本考案の起立式展示ボードによれば、写真、絵画等の取り付け及び取り外しが容易であるとともに、支持枠の表面及び裏面にパネルを取り付けているため、表示板に更にパネルを取り付けた改良型の起立式展示ボードと異なり、製造コストを抑えることも可能である。
【図面の簡単な説明】
【００１４】
【図１】本考案の起立式展示ボードの実施例の斜視図である。
【図２】本考案の起立式展示ボードの実施例における支持枠を示す図である。
【図３】本考案の起立式展示ボードの実施例におけるパネルを説明するため図である。
【図４】本考案の起立式展示ボードの実施例におけるパネルを説明するため図であり、図３におけるＡ−Ａ線断面構造を示す図である。
【図５】本考案の起立式展示ボードの実施例におけるパネルを説明するため図であり、可動フレームを開いた状態を説明するための図である。
【図６】従来の起立式展示ボードを説明するための図である。
【考案を実施するための形態】
【００１５】
本考案の起立式展示ボードでは、上端で互いに回動自在に軸支された２本の支柱で構成された枠部材を一対個有しており、この一対個の枠部材は、間隔を置いて配置されており、それにより、支持枠が構成されている。
【００１６】
そして、この支持枠の表面及び裏面にはパネルが取り付けられており、このパネルは、正面側を開放して写真、絵画等を額装するフロントオープン式のパネルとしている。
【００１７】
即ち、このパネルは、四角形状に枠組みされた固定フレームを有しており、この固定フレームの内周側には、裏板が係止されている。
【００１８】
また、前記固定フレームの内周側には、前記裏板の正面側の位置に、前記裏板とともに写真、カタログ等を挟み込むための透明体が、係止されている。
【００１９】
そして、前記固定フレームの各辺には、可動フレームが開閉自在に軸支されており、この可動フレームは、これを閉じることによって、前記透明体を前記裏板へ押圧可能としている。
【００２０】
ここで、前記固定フレームに、前記裏板の周縁部が挿入係止される挿入溝と、前記透明体の周縁部を載置するための段差部を形成して、前記挿入溝に裏板の周縁部を挿入するとともに、前記段差部上に透明体の周縁部を載置し、この状態で前記可動フレームを閉じて可動フレームによって前記透明体を前記裏板へ押圧することによって、前記固定フレームの内周側に裏板及び透明体を係止可能にするとよく、これにより、容易に、パネルのフロント側から写真、絵画等を額装可能にすることができる。
【００２１】
また、前記固定フレームに、ガイドレールと、固定側バネ受け部を形成し、前記可動フレームには、前記ガイドレールに摺動可能なカップ部と、可動側バネ受け部を形成し、前記ガイドレールに前記カップ部を被装するとともに、前記固定側バネ受け部と可動側バネ受け部間にバネ部材を介在するとよく、これにより、前記可動フレームを前記固定フレームの各辺に開閉自在に軸支することが可能である。
【実施例１】
【００２２】
本考案の起立式展示ボードの実施例について図面を参照して説明すると、図１は、本実施例の起立式展示ボードの斜視図であり、図において１が、本実施例の起立式展示ボードである。
【００２３】
そして、本実施例の起立式展示ボード１は、支持枠２と、この支持枠２の表面及び裏面に取り付けたパネル６とで構成されている。
【００２４】
ここで、前記支持枠２について説明すると、図２は前記支持枠を説明するための図であり、本実施例において前記支持枠２は、一対の枠部材により構成されている。
【００２５】
即ち、図において３がそれぞれ、枠部材であり、この枠部材３はそれぞれ、角棒状とした２本の支柱４を有しており、本実施例においてこの支柱４は、アルミ等の金属製としている。
【００２６】
そして、この２本の支柱を、蝶番部材３０１を用いて、上端で互いに回動自在に軸支しており、これにより枠部材３を構成している。
【００２７】
また、本実施例における枠部材３では、連結部材を用いて支柱の回動角度を調節している。即ち、図において５が連結部材であり、この連結部材５は、前記２本の支柱をその下方部分で連通しており、長手方向の中央部分で折り曲げ自在に連結されており、枠部材３が開きすぎてしまうことを防止するとともに、分断部分を折り曲げることで、枠部材３を、棒状に閉じることを可能としている。
【００２８】
そして、本実施例の起立式展示ボード１では、図２に示されるように、このように構成される枠部材３を、一方の枠部材３を構成する支柱と他方の枠部材３を構成する支柱４が互いに平行になるように、間隔を置いて、配置しており、これによって、支持枠２を構成している。
【００２９】
なお、本実施例において前記連結部材５は、矢印で示すように上方へ折り曲げ自在としているが、必ずしも上方へ折り曲げ自在にする必要はなく、下方へ折り曲げ自在としてもよい。
【００３０】
次に、図１において６はパネルである。即ち、本実施例の起立式展示ボード１では、前記支持枠２の表面及び裏面のそれぞれに、フロントオープン式のパネル６を取り付けている。
【００３１】
ここで、前記パネル６について説明すると、図３は本実施例における前記パネル６の正面図であり、図４は図３におけるＡ−Ａ線断面構造を示す図である。
【００３２】
そして、本実施例における前記パネル６は、四角形状に枠組みした固定フレームを有している。即ち、図４において７が固定フレームであり、本実施例において前記固定フレーム７は、フラットとした装着面８を有した長尺の平板状の金属製フレーム部材を有しており、４本のフレーム部材を四角形状に枠組みすることで固定フレーム７を構成し、縦方向のフレームを構成するフレーム部材の装着面８を、前記支持枠２を構成する支柱４に、ネジ等１９で固定している。
【００３３】
なお、図４及び図５において２が前記支持枠であり、図においては、固定パネル７への支持枠２の装着状態を示すために、支持枠２とネジ等１９を点線で示している。
【００３４】
次に、前記固定フレーム７は、外周側のほぼ全域に亘り、上部を湾曲状にしたガイドレール９を有し、内周側のほぼ全域には挿入溝１０を有し、更に、内周側における、前記装着面８と反対側（正面側）には、装着面８側に切り欠いて凹ました段差部１１を有している。
【００３５】
そして、前記固定フレーム７の内周側には、写真、絵画等を挟み込んで額装するための、裏板と透明体が、係止されており、透明体は、前記固定フレーム７の内周側において、前記裏板の正面側に係止されている。
【００３６】
即ち、図において１２は裏板であり、この裏板１２は、前記固定フレーム７の内周側の径よりもわずかに大きな径とした四角形状としており、その周縁部を前記挿入溝１０内に挿入することで、前記固定フレーム７の内周側に係止されている。
【００３７】
また、図において１３は透明体であり、本実施例においてこの透明体１３は、前記裏板１２とほぼ同一の形状寸法かわずかに小さい寸法の相似形とし、その周縁部を前記段差部１１上に載置しており、これにより、前記透明体１３は、前記固定フレーム７の内周側において、前記裏板１２の正面側に係止されている。
【００３８】
そして、前記裏板１２と透明体１３間に写真、絵画等の被額装物２０を挟み込むことで、パネル６に写真、絵画等２０を額装可能としている。
【００３９】
次に、図において１４は可動フレームであり、本実施例の起立式展示ボード１におけるパネル６では、前記固定フレーム７の各辺に可動フレーム１４を回動自在に軸支し、固定フレーム７の外周側に可動フレーム１４を回動することで、固定フレーム７に対して可動フレーム１４を開くことを可能にしている。
【００４０】
そして、本実施例においてこの可動フレーム１４は、前記固定フレーム７の正面側を覆うことが可能な形状寸法としており、この可動フレーム１４を閉じることによって、可動フレーム１４の先端部分で、前記透明体１３を前記裏板１２側へ押圧可能としている。
【００４１】
ここで、前記可動フレーム１４について説明すると、本実施例における前記可動フレーム１４は、上端側の内周に、長手方向に沿って、前記ガイドレール９に摺動可能なカップ部１５を有している。
【００４２】
そして、このカップ部１５を、前記ガイドレール９に摺動自在に被装することで、可動フレーム１４は、前記固定フレーム７に回動自在に軸支されており、これにより可動フレーム１４は、回動することで、固定フレーム７に対して開閉自在としている。図４が可動フレーム１４を閉じた状態を示しており、図５が可動フレーム１４を開いた状態を示している。
【００４３】
また、本実施例における前記可動フレーム１４は、先端側の内周に可動側バネ受け部１６を有しており、一方、前記固定フレーム７は、正面側の上部に、固定側バネ受け部１７を有しており、固定側バネ受け部１７と可動側バネ受け部１６間において、複数個所に、バネ部材としての板バネ１８が介在されている。
【００４４】
そして、この板バネ１８は、湾曲した状態で、固定側バネ受け部１７と可動側バネ受け部１６間に在されており、これにより、板バネ１８は常に、可動フレーム１４の先端を反カップ部側に付勢している。従って、可動フレーム１４を閉じた状態では、図４に示すように、可動フレーム１４の先端部は透明体１３側に付勢され、これにより、可動フレーム１４の先端部分で、前記透明体１３を前記裏板１２側へ押圧することとなる。
【００４５】
なお、本実施例において板バネ１８は、固定側バネ受け部１７と可動側バネ受け部１６間の全域に介在されているのではなく、横方向を構成する一対のフレーム材と縦方向を構成する一対のフレーム材のそれぞれの両端部分に介在されており、従って、合計で８個の板バネ１８が介在されている。
【００４６】
次に、このように構成される本実施例の起立式展示ボード１の作用について説明すると、本実施例の起立式展示ボード１を使用するときは、支柱４を互いに回動して、これにより支柱を開き、２本の支柱４で山型になるようにし、起立式展示ボード１を自立可能にする。
【００４７】
次に、図５に示すように、可動フレーム１４を固定フレーム７の外周側に回動して可動フレーム１４を開き、可動フレーム１４の先端部による透明体１３への押圧を解除して透明体１３をフリーにする。
【００４８】
そして、このように透明体１３をフリーにした後に、透明体１３を固定フレーム７から外し、その後に、裏板１２の正面側に写真、絵画、カタログ等を配置した状態にして、再び透明体１３を、周縁部を固定フレーム７における段差部１１上に載置し、これにより、裏板１２と透明体１３とで、前記写真、絵画、カタログ等を挟み込んで固定する。
【００４９】
そしてその後は、図４に示すように、可動フレーム１４を元の位置に回動し、それにより、可動フレーム１４の先端部分で透明体を押圧し、それによって、透明体１３の位置を固定することで、起立式展示ボード１に写真、絵画、カタログ等を係止することが可能となる。
【００５０】
このように、本実施例の起立式展示ボード１では、起立式の展示ボードにおいて、フロントオープン式のパネルを備えており、接着剤、ビス、画鋲等を用いることなく、起立式展示ボードに写真、カタログ、メッセージ等を貼り付けることができるために、貼り付ける作業が容易であるとともに、取り外しも容易であるという利点がある。
【００５１】
そしてこのとき、本実施例の起立式展示ボードでは、上端で互いに回動自在に軸支された２本の支柱で構成された枠部材を、間隔を置いて一対個備えることにより支持枠を構成し、この支持枠の表面及び裏面に、フロントオープン式のパネルを取り付けて構成されているため、展示ボードの表示板にパネルを取り付けることとした形態の改良型の起立式展示ボードと異なり、取り付け及び取り外しが容易であるとともに、製造コストを抑えることも可能である。
【産業上の利用可能性】
【００５２】
本考案の起立式展示ボードは、一対の枠部材で構成される支持枠の表面及び裏面にフロントオープン式のパネルを取り付けて構成し、これにより、製造コストを抑えつつ、取り付け及び取り外しを容易とした起立式展示ボードとしているため、起立式の展示ボードの全般に適用可能である。
【符号の説明】
【００５３】
１    起立式展示ボード
２    支持枠
３    枠部材
４    支柱
５    連結部材
６    パネル
７    固定フレーム
８    装着面
９    ガイドレール
１０    挿入溝
１１    段差部
１２    裏板
１３    透明体
１４    可動フレーム
１５    カップ部
１６    可動側バネ受け部
１７    固定側バネ受け部
１８    板バネ
１９    固定ネジ
２０    被額装物
【図１】
0003155563.tif 000003
【図２】
0003155563.tif 000004
【図３】
0003155563.tif 000005
【図４】
0003155563.tif 000006
【図５】
0003155563.tif 000007
【図６】
0003155563.tif 000008